(57)【要約】【課題】  受光最大による電荷の飽和のために、画像が劣化するのを防止し得る画像読取装置を提供する。【解決手段】  原稿を照明する光源としての冷陰極管１６に、光源インバータ１５より、スイッチ１７を介して駆動電流を流して、冷陰極管１６を点灯し、この冷陰極管１６からの光が原稿で反射してＣＣＤセンサ１８に受光されることにより、原稿画像を読み取る装置において、ＭＰＵ１からの指令により、スイッチ１７を１ライン読み取りの期間でＯＮ／ＯＦＦし、冷陰極管１６を間欠点灯することにより、ＣＣＤセンサ１８への受光量を抑え、電荷の飽和を軽減する。【選択図】      図１
2005303560.tif 000002
【特許請求の範囲】
【請求項１】
原稿を照明する光源と、光源を点灯する点灯回路と、原稿からの反射光を受光し、電気信号に変換する光電変換素子とを備えた画像読取装置において、
１ライン読み取りの期間内で、前記光源を間欠点灯すべく点灯回路を制御する制御手段を備えたことを特徴とする画像読取装置。
【請求項２】
原稿を照明する光源と、光源を点灯する点灯回路と、原稿からの反射光を受光し、電気信号に変換する光電変換素子とを備えた画像読取装置において、
１ライン読み取りの期間内で、前記光源を間欠点灯すべく点灯回路と光源を結ぶ回路を開閉する制御手段を備えたことを特徴とする画像読取装置。
【請求項３】
前記１ライン読み取り期間内での光電素子の受光量が各ラインで等しくなるように制御することを特徴とする請求項１又は請求項２記載の画像読取装置。
【発明の詳細な説明】
【技術分野】
【０００１】
この発明は、光源と光電変換素子を有する画像読取機能を備えた画像読取装置に関する。
【背景技術】
【０００２】
複写機、ファクシミリ装置、複写機能・ファクシミリ機能等の多機能を有する複合機、スキャナ装置は、原稿に光を投射するための光源及びこの光源からの光が原稿面で反射されて来るのを受光し、原稿画像を読み取る光電変換素子（ＣＣＤ）を含む画像読取装置を有することが知られている。
【０００３】
ところで、この種の画像読取装置において、光源の発熱と光量変化を防ぐために、光電変換素子の露光時間を制御するシャッタ閉信号に着目し、このシャッタ閉信号に基づいて、光源を消灯するように点灯した制御方法が開示されている（例えば、特許文献１参照）。
【特許文献１】特開平１０−２３３８９１号公報
【発明の開示】
【発明が解決しようとする課題】
【０００４】
上記した画像読取装置の光源として使用される冷陰極管や蛍光管は、近年、読取速度の向上要求により光量増加の傾向にあり、またＣＣＤ（光電変換素子）の受光感度も向上している。そのため、光源を連続点灯してＣＣＤが原稿から反射光を受光したときに、ホトセル内が電荷で飽和して画像がぼける現象（ｂｌｏｏｍｉｍｇ）が生じることがある。
【０００５】
この発明は上記問題点に着目してなされたものであって、電荷の飽和による画像の劣化を防ぐことのできる画像読取装置を提供することを目的とする。
【０００６】
なお、特許文献１に記載の技術は、カラー色信号の露光時間を制御するシャッタ閉信号を用い、その期間、光源を消灯するものであるから、電荷の飽和を軽減することは困難である。
【課題を解決するための手段】
【０００７】
この発明の画像読取装置は、原稿を照明する光源と、光源を点灯する点灯回路と、原稿からの反射光を受光し、電気信号に変換する光電変換素子とを備えた画像読取装置において、１ライン読み取りの期間内で、前記光源を間欠点灯すべく点灯回路を制御する制御手段を備えている。
【０００８】
また、この発明の画像読取装置は、原稿を照明する光源と、光源を点灯する点灯回路と、原稿からの反射光を受光し、電気信号に変換する光電変換素子とを備えた画像読取装置において、１ライン読み取りの期間内で、前記光源を間欠点灯すべく点灯回路と光源を結ぶ回路を開閉する制御手段を備えている。
【０００９】
また、この発明の画像読取装置において、前記１ライン読み取り期間内での光電素子の受光量が各ラインで等しくなるように制御することが望ましい。
【発明の効果】
【００１０】
この発明によれば、１ラインの読み取り期間内で光源を間欠点灯するので、その分、光電変換素子の受光量が下がるため、電荷の飽和による画像の劣化を防ぐことができる。
【００１１】
また、各ラインの読み取り期間内受光が均一化されるので、画像の劣化を更に防ぐことができる。
【発明を実施するための最良の形態】
【００１２】
以下、実施の形態により、この発明をさらに詳細に説明する。図１は、この発明の一実施形態である複合機の回路構成を示すブロック図である。この実施形態複合機は、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、画像読取部７と、ＣＯＤＥＣ（符号化・復号器：Ｃｏｒｄｅｒ  ａｎｄ  Ｄｅｃｏｄｅｒ）８と、表示部９と、操作部１０と、プリンタ１１と、バス１２とを備えている。
【００１３】
ＭＰＵ１は、ＲＯＭ４に記憶しているプログラムに従い、装置全体の処理動作を実行する。ＮＣＵ２は、ＭＰＵ１により制御されて、通信回線である電話回路網（ＰＳＴＮ）１３との接続を制御する。また、ＮＣＵ２は、通信相手の電話番号（ＦＡＸ番号を含む）に応じたダイヤルパルスを送出する機能及び着信を検出する機能を有する。
【００１４】
ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいてＶ．１７、Ｖ．２７ｔｅｒ、Ｖ．２９等に従った送信データの変調及び受信データの復調を行う。また、ＭＯＤＥＭ３は、Ｖ．８、Ｖ．３４を用いてスーパーＧ３ＦＡＸにも適用可能である。具体的には、ＭＯＤＥＭ３はＮＣＵ２を介して電話回線網１３に送出するために、デジタル信号である送信データをアナログの信号に変調する機能を有する。また、ＭＯＤＥＭ３は電話回線網１３からＮＣＵ２を介して受信したアナログの音声信号をデジタル信号に復調する機能を有する。
【００１５】
ＲＯＭ４は、この装置全体の動作を制御するためのプログラム等を記憶する。ＲＡＭ５は、ＭＰＵ１による制御に必要なデータ及び制御動作時に一時記憶が必要なデータ等を記憶する。画像メモリ６は、パーソナルコンピュータ等の外部装置からネットワークを介して受信した画像データ又は記録メディアから読み込んだ画像データを圧縮状態（ＪＰＥＧ等）で記憶する。
【００１６】
画像読取部７は、ファクシミリ送信するとき、又はコピーするときに、原稿の画像データを光学的に走査して読み取る。この画像読取部７は、カラー画像の読み取りも可能である。カラー読み取りの場合、画像読取部７は、原稿画像を光学的に走査し、ＲＧＢ３色の色分解信号を得、所定の画像処理を行う。この画像読取部７は後に詳述する。
【００１７】
ＣＯＤＥＣ８は、読み取った画像データを送信又は記憶するためにＭＨ、ＭＲ、ＭＭ方式等により符号化（エンコード）する。また、ＣＯＤＥＣ８は、圧縮符号化された状態で受信した画像データをプリンタ１１により記録するために復号（デコード）する。
【００１８】
表示部９は、アイコン、キーボタンの表示や、データの送受信に必要なメッセージ内容、操作部１０の操作により、入力された電話番号やＦＡＸ番号等を表示する。この表示部９としては、ＬＣＤ（液晶表示装置）が用いられる。操作部１１はテンキー、ワンタッチキー、短縮キー、モード切替キー、スタートキー、ストップキー等のキーを有する。プリンタ１１は、電子写真方式のものが採用され、受信画像データやコピー動作において、画像読取部７で読み取った原稿の画像データを記録紙上に記録する。
【００１９】
画像読取部７は、スキャナ機構制御回路１４と、光源インバータ１５と、冷陰極管１６と、スイッチ１７と、ＣＣＤセンサ１８と、アナログフロントエンド回路１９と、Ａ／Ｄ変換器２０と、スキャナ画像処理回路２１とを備えている。
【００２０】
スキャナ機構制御回路１４はＭＰＵ１からの指令により、スキャナ機構を移動させるモータ１４ａを駆動するとともに、光源インバータ１５に点灯信号を入力する。光源インバータ１５はスイッチ１７を介して、冷陰極管１６に点灯電流を流し、冷陰極管１６を点灯する。スイッチ１７はＭＰＵ１からの信号により、ＯＮ／ＯＦＦされる。
【００２１】
ＣＣＤセンサ１８は、原稿画像をスキャンして読み取るためのラインイメージセンサであり、スキャナ画像処理回路２１からのサンプルホールド信号ＳＨを受けて、受光量に応じた電荷を蓄積する。アナログフロントエンド回路１９は、ＣＣＤセンサ１８から出力されるアナログ信号を増幅する。Ａ／Ｄ変換器２０は、アナログフロントエンド回路１９のアナログ出力信号をデジタル信号に変換する。スキャナ画像処理回路２１は、Ａ／Ｄ変換器２０でデジタル変換された読み取り画像データをシェーディング補正、ガンマ補正、２値化処理等の画像処理を行う。画像処理された読み取り画像データをＣＯＤＥＣ８で符号化し、画像メモリ６に格納する。
【００２２】
画像読取部７において、読み取り動作を行う場合には、スキャナの光源である冷陰極管１６を点灯する。この実施形態においては、ＣＣＤセンサ１８による１ラインの読み取り周期毎に冷陰極管１６を点滅制御している。ＣＣＤセンサ１８は、図２の（ｂ）に示すサンプルホールド信号ＳＨの印加周期毎に１ラインを読み取る。したがって、図２の（ａ）に読み取りタイミングｎ、ｎ＋１、ｎ＋２、ｎ＋３、……の経過を示しており、図２の（ｅ）はライン毎の読み取りデータを示している。
【００２３】
冷陰極管１６の点灯パターンは、図２の（ｃ）に示すように、１ライン読み取り周期にデューティ比１／２で１回のＯＮ／ＯＦＦとしている。この図２の（ｃ）に示すパターンの制御信号がＭＰＵ１よりスキャナ機構制御回路１４に与えられ、この波形に応じた信号で光源インバータ１５をＯＮ／ＯＦＦ動作させている。また、光電インバータ１５の動作をＯＮ／ＯＦＦするのに代えて、図２の（ｃ）に示す信号でスイッチ１７をＯＮ／ＯＦＦすることにより、冷陰極管１６を間欠点灯するようにしても良い。
【００２４】
また、冷陰極管１６の点灯パターンとして、図２の（ｄ）に示すように、１ライン読み取り周期にデューティ比は、図２の（ｃ）の場合と同様１／２であるが、ＯＮ／ＯＦＦの繰り返しを２回としても良い。
【００２５】
この実施形態複合機では、１ラインの読み取り期間内で、冷陰極管（光源）を間欠点灯するので、その分、ＣＣＤセンサ（光電変換素子）の受光量が下がり、電荷の飽和による画像の劣化を防ぐことができる。
【００２６】
この発明は、スキャナが自動原稿送り（ＡＤＦ）のスキャナであるか、フラットベッドスキャナ（ＦＢＳ）であるかを問わず、適用できる。
【図面の簡単な説明】
【００２７】
【図１】この発明の一実施形態である複合機の構成を示すブロック図である。
【図２】同実施形態複合機の画像読取部の光源の点灯制御を説明するタイムチャートである。
【符号の説明】
【００２８】
１          ＭＰＵ
２          ＮＣＵ
３          ＭＯＤＥＭ
４          ＲＯＭ
５          ＲＡＭ
６          画像メモリ
７          画像読取部
８          ＣＯＤＥＣ
９          光部
１０        操作部
１１        プリンタ
１４        スキャナ機構制御回路
１４ａ      スキャナ駆動モータ
１５        光源インバータ
１６        冷陰極管
１７        スイッチ
１８        ＣＣＤセンサ
１９        アナログフロントエンド回路
２０        Ａ／Ｄ変換器
２１        スキャナ画像処理回路
【図１】
2005303560.tif 000003
【図２】
2005303560.tif 000004